(57)【要約】【課題】熱交換器の出口における水温が高くなり過ぎることを抑制できる技術を提供する。【解決手段】制御部が、第１開閉弁および／または第２開閉弁の開閉を切り替えたときに、熱交換器の出口における水温が第１沸騰限界温度以下に抑制されるように比例弁を制御し、その後に、前記熱交換器の出口における水温が前記第１沸騰限界温度より高温の第２沸騰限界温度以下に抑制されるように前記比例弁を制御する。【選択図】図１
2018200141.tif 000002
【特許請求の範囲】
【請求項１】
内部を流れる水を加熱する熱交換器と、
ガスを燃焼させて前記熱交換器を加熱する第１ガスバーナ及び第２ガスバーナと、
ガスを供給するガス供給管と、
前記ガス供給管から分岐して第１ガスバーナへガスを供給する第１分岐管と、
前記ガス供給管から分岐して第２ガスバーナへガスを供給する第２分岐管と、
前記ガス供給管に設けられており、前記第１分岐管と前記第２分岐管に供給するガスの供給量を調整する比例弁と、
前記第１分岐管に設けられており、前記第１分岐管を開閉する第１開閉弁と、
前記第２分岐管に設けられており、前記第２分岐管を開閉する第２開閉弁と、
制御部を備えており、
前記制御部が、前記第１開閉弁および／または前記第２開閉弁の開閉を切り替えたときに、前記熱交換器の出口における水温が第１沸騰限界温度以下に抑制されるように前記比例弁を制御し、その後に、前記熱交換器の出口における水温が前記第１沸騰限界温度より高温の第２沸騰限界温度以下に抑制されるように前記比例弁を制御する、給湯器。
【請求項２】
前記制御部が、前記第１開閉弁および／または前記第２開閉弁の開閉を切り替えて前記第１ガスバーナおよび／または前記第２ガスバーナへ供給するガスの供給量を増大させる増大処理と、前記第１開閉弁および／または前記第２開閉弁の開閉を切り替えて前記第１ガスバーナおよび／または前記第２ガスバーナへ供給するガスの供給量を減少させる減少処理を実行可能であり、
前記減少処理の場合に前記制御部が前記熱交換器の出口における水温が第１沸騰限界温度以下に抑制されるように前記比例弁を制御する時間が、前記増大処理の場合に前記制御部が前記熱交換器の出口における水温が第１沸騰限界温度以下に抑制されるように前記比例弁を制御する時間より長い、請求項１に記載の給湯器。
【請求項３】
前記制御部が、前記第１開閉弁および前記第２開閉弁が閉の状態から、前記第１開閉弁および／または前記第２開閉弁の開閉を切り替えて前記第１ガスバーナおよび／または前記第２ガスバーナへ供給するガスの供給量を増大させる第１増大処理と、前記第１開閉弁または前記第２開閉弁が開の状態から、前記第１開閉弁および／または前記第２開閉弁の開閉を切り替えて前記第１ガスバーナおよび／または前記第２ガスバーナへ供給するガスの供給量を増大させる第２増大処理を実行可能であり、
前記第１増大処理の場合に前記制御部が前記熱交換器の出口における水温が第１沸騰限界温度以下に抑制されるように前記比例弁を制御する時間が、前記第２増大処理の場合に前記制御部が前記熱交換器の出口における水温が第１沸騰限界温度以下に抑制されるように前記比例弁を制御する時間より長い、請求項１または２に記載の給湯器。
【発明の詳細な説明】
【技術分野】
【０００１】
本明細書で開示する技術は、給湯器に関する。
【背景技術】
【０００２】
特許文献１に開示されている給湯器は、内部を流れる水を加熱する熱交換器と、ガスを燃焼させて熱交換器を加熱するガスバーナと、ガスバーナへガスを供給するガス供給管と、ガス供給管から分岐している第１分岐管及び第２分岐管を備えている。また、特許文献１の給湯器は、ガス供給管に設けられており、第１分岐管と第２分岐管に供給するガスの供給量を調整する比例弁と、第１分岐管に設けられており、第１分岐管を開閉する第１開閉弁と、第２分岐管に設けられており、第２分岐管を開閉する第２開閉弁を備えている。特許文献１の給湯器では、制御部が、熱交換器の出口における水温がオフ温度以上になったときに、比例弁の開度を調整してガスバーナの燃焼量を低下させ、熱交換器の出口における水温がオン温度以下になったときに、比例弁の開度を調整してガスバーナの燃焼量を増大させている。
【先行技術文献】
【特許文献】
【０００３】
【特許文献１】特開平１１−０８３１６９号公報
【発明の概要】
【発明が解決しようとする課題】
【０００４】
特許文献１の給湯器では、ガスバーナの燃焼量を変化させるために第１開閉弁および／または第２開閉弁の開閉を切り替えることがある。そうすると、ガスバーナに供給されるガスの供給量が変化してガスバーナの燃焼量が変化する。ところが、第１開閉弁および／または第２開閉弁の開閉を切り替えた直後は、ガスバーナの燃焼量が一時的に想定以上の燃焼量となり、熱交換器が一時的に加熱され過ぎ、熱交換器が予定よりも高温に加熱されてしまうことがある。そうすると、熱交換器によって水が予定よりも高温に加熱され、熱交換器の出口における水温が高くなり過ぎることがある。そこで本明細書では、熱交換器の出口における水温が高くなり過ぎることを抑制できる技術を提供する。
【課題を解決するための手段】
【０００５】
本明細書が開示する給湯器は、内部を流れる水を加熱する熱交換器と、ガスを燃焼させて前記熱交換器を加熱する第１ガスバーナ及び第２ガスバーナと、ガスを供給するガス供給管と、前記ガス供給管から分岐して第１ガスバーナへガスを供給する第１分岐管と、前記ガス供給管から分岐して第２ガスバーナへガスを供給する第２分岐管と、前記ガス供給管に設けられており、前記第１分岐管と前記第２分岐管に供給するガスの供給量を調整する比例弁と、前記第１分岐管に設けられており、前記第１分岐管を開閉する第１開閉弁と、前記第２分岐管に設けられており、前記第２分岐管を開閉する第２開閉弁と、制御部を備えている。この給湯器では、前記制御部が、前記第１開閉弁および／または前記第２開閉弁の開閉を切り替えたときに、前記熱交換器の出口における水温が第１沸騰限界温度以下に抑制されるように前記比例弁を制御し、その後に、前記熱交換器の出口における水温が前記第１沸騰限界温度より高温の第２沸騰限界温度以下に抑制されるように前記比例弁を制御する。
【０００６】
この構成によれば、制御部が第１開閉弁および／または第２開閉弁の開閉を切り替えたときには、熱交換器の出口における水温が第１沸騰限界温度以下に抑制されるように比例弁を制御してガスの供給量を調整することによって、第１ガスバーナおよび／または第２ガスバーナの燃焼量を抑制することができる。これによって、第１開閉弁および／または第２開閉弁の開閉を切り替えた直後に、第１ガスバーナおよび／または第２ガスバーナの燃焼量が一時的に想定以上の燃焼量となってしまい、熱交換器が一時的に加熱され過ぎることを防止することができる。また、第１ガスバーナおよび／または第２ガスバーナの燃焼量を抑制した後には、熱交換器の出口における水温が第１沸騰限界温度より高温の第２沸騰限界温度以下に抑制されるように比例弁を制御してガスの供給量を調整することができる。これによって、第１ガスバーナおよび／または第２ガスバーナによる熱交換器の加熱を促進することができ、熱交換器による水の加熱を促進することができる。このように、第１開閉弁および／または第２開閉弁の開閉を切り替えた直後には第１ガスバーナおよび／または第２ガスバーナによる熱交換器の加熱を抑制し、その後に第１ガスバーナおよび／または第２ガスバーナによる熱交換器の加熱を促進することによって、熱交換器によって水を段階的に加熱することができる。そのため、熱交換器によって水が一時的に急激に加熱されることがなく、熱交換器の出口における水温が高くなり過ぎることを抑制できる。
【０００７】
上記の給湯器において、前記制御部が、前記第１開閉弁および／または前記第２開閉弁の開閉を切り替えて前記第１ガスバーナおよび／または前記第２ガスバーナへ供給するガスの供給量を増大させる増大処理と、前記第１開閉弁および／または前記第２開閉弁の開閉を切り替えて前記第１ガスバーナおよび／または前記第２ガスバーナへ供給するガスの供給量を減少させる減少処理を実行可能であってもよい。また、前記減少処理の場合に前記制御部が前記熱交換器の出口における水温が第１沸騰限界温度以下に抑制されるように前記比例弁を制御する時間が、前記増大処理の場合に前記制御部が前記熱交換器の出口における水温が第１沸騰限界温度以下に抑制されるように前記比例弁を制御する時間より長いことが好ましい。
【０００８】
ガスの供給量を増大させる増大処理の場合には、増大前では比較的小さなガスの燃焼量で熱交換器が加熱され、増大後では比較的大きなガスの燃焼量で熱交換器が加熱されることになる。これに対して、ガスの供給量を減少させる減少処理の場合には、減少前では比較的大きなガスの燃焼量で熱交換器が加熱され、減少後では比較的小さなガスの燃焼量で熱交換器が加熱されることになる。そのため、減少処理の場合には、減少前に比較的大きなガスの燃焼量で熱交換器が加熱されるので、減少後であっても暫くの間は、熱交換器が比較的大きな熱量を有することになる。これに対して増大処理の場合にはこのようなことがない。したがって、減少処理の場合には、減少後に比較的小さなガスの燃焼量で熱交換器が加熱されているにもかかわらず、暫くの間は、熱交換器が比較的大きな熱量を有しているので、熱交換器によって水が想定以上に加熱されてしまう可能性がある。そこで、減少処理の場合には、増大処理の場合よりも、制御部が熱交換器の出口における水温が第１沸騰限界温度以下に抑制されるように比例弁を制御する時間を長くしている。この構成によれば、減少処理の場合には、第１ガスバーナおよび／または第２ガスバーナの燃焼量をより長い時間抑制することができる。そのため、第１ガスバーナおよび／または第２ガスバーナによる熱交換器の加熱がより長い時間抑制され、熱交換器の出口における水温が高くなり過ぎることを抑制できる。
【０００９】
上記の給湯器において、前記制御部が、前記第１開閉弁および前記第２開閉弁が閉の状態から、前記第１開閉弁および／または前記第２開閉弁の開閉を切り替えて前記第１ガスバーナおよび／または前記第２ガスバーナへ供給するガスの供給量を増大させる第１増大処理と、前記第１開閉弁または前記第２開閉弁が開の状態から、前記第１開閉弁および／または前記第２開閉弁の開閉を切り替えて前記第１ガスバーナおよび／または前記第２ガスバーナへ供給するガスの供給量を増大させる第２増大処理を実行可能であってもよい。前記第１増大処理の場合に前記制御部が前記熱交換器の出口における水温が第１沸騰限界温度以下に抑制されるように前記比例弁を制御する時間が、前記第２増大処理の場合に前記制御部が前記熱交換器の出口における水温が第１沸騰限界温度以下に抑制されるように前記比例弁を制御する時間より長いことが好ましい。
【００１０】
第１開閉弁または第２開閉弁が開の状態では、第１ガスバーナまたは第２ガスバーナによって熱交換器が加熱されている。これに対して、第１開閉弁および第２開閉弁の両方が閉の状態では、第１ガスバーナおよび第２ガスバーナによって熱交換器が全く加熱されていない。そのため、第１開閉弁および第２開閉弁が閉の状態からガスの供給量が増大する第１増大処理の場合には、熱交換器が全く加熱されていない状態から加熱される状態に移行するので、第１開閉弁または第２開閉弁が開の状態からガスの供給量が増大する第２増大処理の場合よりも、熱交換器が急激に加熱されることになる。そうすると、熱交換器によって水が急激に加熱され、水が想定以上に加熱されてしまう可能性がある。そこで、第１増大処理の場合には、第２増大処理の場合よりも、制御部が熱交換器の出口における水温が第１沸騰限界温度以下に抑制されるように比例弁を制御する時間を長くしている。この構成によれば、第１増大処理の場合には、第１ガスバーナおよび／または第２ガスバーナの燃焼量をより長い時間抑制することができる。そのため、第１ガスバーナおよび／または第２ガスバーナによる熱交換器の加熱がより長い時間抑制され、熱交換器の出口における水温が高くなり過ぎることを抑制できる。
【図面の簡単な説明】
【００１１】
【図１】実施例に係る給湯器の構成を示す図である。
【図２】実施例に係る給湯器のメモリに記憶されている切替テーブルを示す図である。
【図３】実施例に係る給湯器の比例弁と第１切替電磁弁と第２切替電磁弁の開閉状態と、バーナ装置の燃焼状態との関係を示す図である。
【図４】実施例に係る開閉状態調整処理を示すフローチャートである。
【図５】ケース１（第１増大処理）に係る給湯器の比例弁と第１切替電磁弁と第２切替電磁弁の開閉状態と、バーナ装置の燃焼状態との関係を示す図である。
【図６】ケース２（第２増大処理）に係る給湯器の比例弁と第１切替電磁弁と第２切替電磁弁の開閉状態と、バーナ装置の燃焼状態との関係を示す図である。
【図７】ケース３（減少処理）に係る給湯器の比例弁と第１切替電磁弁と第２切替電磁弁の開閉状態と、バーナ装置の燃焼状態との関係を示す図である。
【図８】他の実施例に係る開閉状態調整処理を示すフローチャートである。
【図９】他の実施例に係る複数の切替電磁弁と分岐管とガスバーナの構成を示す図である。
【発明を実施するための形態】
【００１２】
（給湯器の構成）
実施例に係る給湯器２について図面を参照して説明する。図１に示すように、実施例に係る給湯器２は、ハウジング３を備えている。ハウジング３には、ハウジング３内で発生する燃焼ガスを排気するための排気ダクト３９が形成されている。
【００１３】
また、給湯器２は、通水管２０とガス供給管３０を備えている。また、給湯器２は、ハウジング３内に配置されているバーナ装置４０とファン９と主熱交換器５１と副熱交換器５２を備えている。また、給湯器２は、制御部１１０を備えている。この給湯器２は、主熱交換器５１と副熱交換器５２によって水を加熱する潜熱回収型給湯器である。
【００１４】
通水管２０は、ハウジング３内を通過している。通水管２０は、ハウジング３内に配置されている主熱交換器５１と副熱交換器５２を通過している。通水管２０は、先に副熱交換器５２を通過し、その後に主熱交換器５１を通過している。通水管２０には水が流れる。
【００１５】
通水管２０は、上流側から順に給水管２１と、連絡管２２と、給湯管２３を備えている。給水管２１の上流端部は、給水源（例えば水道）に接続されている。給水管２１には、給水源から水が供給される。給水管２１の下流端部は、副熱交換器５２の入口５２１に接続されている。給水管２１は、給水源から供給された水を副熱交換器５２に供給する。
【００１６】
給水管２１には、流量センサ５３と水量サーボ５４が設けられている。流量センサ５３は、給水管２１を流れる水の流量を検出する。水量サーボ５４は、給水管２１を流れる水の流量を調整する。
【００１７】
給水管２１よりも下流側に連絡管２２が配置されている。連絡管２２の上流端部は、副熱交換器５２の出口５２２に接続されている。副熱交換器５２を通過した水が連絡管２２に流入する。連絡管２２の下流端部は、主熱交換器５１の入口５１１に接続されている。連絡管２２は、副熱交換器５２から主熱交換器５１に水を送る。
【００１８】
連絡管２２には、水抜管２５とバイパス管２４が接続されている。水抜管２５の下流端部は、ハウジング３外に引き出されている。水抜管２５は、連絡管２２を流れる水の一部を連絡管２２から抜き取るために設けられている。バイパス管２４の下流端部は、給湯管２３に接続されている。バイパス管２４は、連絡管２２を流れる水の一部を給湯管２３に供給するために設けられている。
【００１９】
連絡管２２よりも下流側に給湯管２３が配置されている。給湯管２３の上流端部は、主熱交換器５１の出口５１２に接続されている。主熱交換器５１を通過した水が給湯管２３に流入する。給湯管２３の下流端部は、給湯利用箇所（例えばシャワーやカラン）に接続されている。給湯管２３は、主熱交換器５１から給湯利用箇所に水を供給する。副熱交換器５２と主熱交換器５１を通過した後の高温の水（湯）が給湯利用箇所に供給される。給湯利用箇所には、給湯栓５６が設けられている。給湯栓５６が開かれると、給湯利用箇所に水（湯）が供給される。
【００２０】
給湯管２３には、出湯サーミスタ５５が取り付けられている。出湯サーミスタ５５は、給湯管２３内の水（湯）の温度を検出する。出湯サーミスタ５５は、給湯利用箇所に供給される水（湯）の温度を検出する。
【００２１】
ガス供給管３０は、ハウジング３外からハウジング３内に引き込まれている。ガス供給管３０の上流端部は、ガス供給源（例えばガスの元栓）に接続されている。ガス供給管３０には、ガス供給源からガスが供給される。ガス供給管３０の下流端部は、バーナ装置４０に接続されている。ガス供給管３０は、ガス供給源から供給されたガスをバーナ装置４０に供給する。
【００２２】
ガス供給管３０は、その途中で２本に分岐しており、第１分岐管３１と第２分岐管３２を備えている。第１分岐管３１と第２分岐管３２の下流端部がそれぞれバーナ装置４０に接続されている。
【００２３】
ガス供給管３０には、元電磁弁３４と比例弁３５が設けられている。元電磁弁３４は、ガス供給管３０を開閉する。元電磁弁３４が開状態になると、ガス供給管３０にガスが流れ、元電磁弁３４が閉状態になると、ガス供給管３０のガスの流れが遮断される。
【００２４】
比例弁３５は、ガス供給管３０を流れるガスの流量を調整する。比例弁３５の開度が大きくなると、ガス供給管３０を流れるガスの流量が多くなる。比例弁３５の開度が小さくなると、ガス供給管３０を流れるガスの流量が少なくなる。比例弁３５の開度によってガス供給管３０を流れるガスの流量が調整される。比例弁３５の開度によって、ガス供給管３０から分岐した第１分岐管３１および／または第２分岐管３２を流れるガスの流量が調整される。比例弁３５の開度が大きくなると、第１分岐管３１および／または第２分岐管３２を流れるガスの流量が多くなる。比例弁３５の開度が小さくなると、第１分岐管３１および／または第２分岐管３２を流れるガスの流量が少なくなる。比例弁３５は、第１分岐管３１および／または第２分岐管３２に供給するガスの供給量を調整する。
【００２５】
ガス供給管３０の第１分岐管３１には第１切替電磁弁３６が設けられている。第１切替電磁弁３６は、第１分岐管３１を開閉する。第１切替電磁弁３６が開状態になると第１分岐管３１にガスが流れ、第１切替電磁弁３６が閉状態になると第１分岐管３１のガスの流れが遮断される。
【００２６】
ガス供給管３０の第２分岐管３２には第２切替電磁弁３７が設けられている。第２切替電磁弁３７は、第２分岐管３２を開閉する。第２切替電磁弁３７が開状態になると第２分岐管３２にガスが流れ、第２切替電磁弁３７が閉状態になると第２分岐管３２のガスの流れが遮断される。
【００２７】
ハウジング３内に配置されているバーナ装置４０は、主熱交換器５１の下方に配置されている。バーナ装置４０は、ガス供給管３０から供給されたガスを燃焼させて、ガスの燃焼熱によって主熱交換器５１を加熱する。バーナ装置４０は、第１ガスバーナ４１と第２ガスバーナ４２を備えている。バーナ装置４０では、第１ガスバーナ４１と第２ガスバーナ４２の点火と消火の切り替えによって燃焼状態が切り替わる。バーナ装置４０の燃焼状態には、消火と小燃焼ｂ１と中燃焼ｂ２と大燃焼ｂ３が存在する（図３参照）。
【００２８】
第１ガスバーナ４１にはガス供給管３０の第１分岐管３１が接続されている。第１分岐管３１から第１ガスバーナ４１にガスが供給される。第１ガスバーナ４１は、複数の単位バーナ４４を備えている。同様に、第２ガスバーナ４２にはガス供給管３０の第２分岐管３２が接続されている。第２分岐管３２から第２ガスバーナ４２にガスが供給される。第２ガスバーナ４２は、複数の単位バーナ４４を備えている。第２ガスバーナ４２における単位バーナ４４の個数は、第１ガスバーナ４１における単位バーナ４４の個数より多い。第２ガスバーナ４２の火力と第１ガスバーナ４１の火力が共に最大である場合、第２ガスバーナ４２の火力が第１ガスバーナ４１の火力よりも大きくなる。
【００２９】
第１切替電磁弁３６が開状態になると第１分岐管３１にガスが流れ、第１ガスバーナ４１が点火する。一方、第１切替電磁弁３６が閉状態になると第１分岐管３１のガスの流れが遮断され、第１ガスバーナ４１が消火する。また、第２切替電磁弁３７が開状態になると第２分岐管３２にガスが流れ、第２ガスバーナ４２が点火する。一方、第２切替電磁弁３７が閉状態になると第２分岐管３２のガスの流れが遮断され、第２ガスバーナ４２が消火する。
【００３０】
バーナ装置４０の上方には、バーナ装置４０の炎を検出するためのフレームロッド８３が配置されている。また、バーナ装置４０の側方と上方には、それぞれ、バーナ装置４０を点火するためのイグナイタ８１と電極８２が配置されている。
【００３１】
バーナ装置４０の下方には、ファン９が配置されている。ファン９は、バーナ装置４０に燃焼用の空気を送る。また、ファン９からバーナ装置４０に空気が送られることによって、バーナ装置４０の燃焼ガスが排気される。
【００３２】
ハウジング３内に配置されている主熱交換器５１は、バーナ装置４０の上方に配置されている。主熱交換器５１は、バーナ装置４０がガスを燃焼させたときの燃焼熱によって通水管２０内の水を加熱する。主熱交換器５１は、燃焼ガスと水の熱交換によって通水管２０を流れる水を加熱する。主熱交換器５１は、副熱交換器５２よりも通水管２０の下流側において水を加熱する。主熱交換器５１は、副熱交換器５２より後に水を加熱する。主熱交換器５１で加熱された後の高温の水（湯）が、給湯管２３を通じて給湯利用箇所に供給される。
【００３３】
主熱交換器５１の下方には、主熱交換器５１の過熱を防止するための温度ヒューズ８４が配置されている。また、主熱交換器５１による空焚き状態を検出するためのバイメタルスイッチ８５が通水管２０に取り付けられている。
【００３４】
主熱交換器５１の上方には、副熱交換器５２が配置されている。副熱交換器５２は、主熱交換器５１からの排熱によって通水管２０内の水を加熱する。副熱交換器５２は、排熱と水の熱交換によって通水管２０を流れる水を加熱する。副熱交換器５２は、主熱交換器５１よりも通水管２０の上流において水を加熱する。副熱交換器５２は、主熱交換器５１より先に水を加熱する。副熱交換器５２で加熱された水が連絡管２２を通じて主熱交換器５１に送られる。
【００３５】
給湯器２の制御部１１０は、ハウジング３内に配置されている。制御部１１０は、例えばＣＰＵとメモリ１１２を備えている。制御部１１０は、給湯器２に関する各種の制御を実行する。
【００３６】
制御部１１０には、リモコン１４０が接続されている。リモコン１４０は、給湯器２に関する各種の設定をするために設けられている。例えば、リモコン１４０によって給湯設定温度を設定することができる。給湯設定温度は、給湯利用箇所に供給される水（湯）の温度である。
【００３７】
制御部１１０は、通水管２０を流れる水の流量に基づいて副熱交換器５２の出口５２２における水温を算出することができる。制御部１１０は、流量センサ５３によって検出された水の流量に基づいて副熱交換器５２の出口５２２における水温を算出する。例えば、制御部１１０は、流量センサ５３によって検出された水の流量とバーナ装置４０の燃焼量等から副熱交換器５２の出口５２２における水温を算出する。副熱交換器５２の出口５２２における水温を算出する方法は特に限定されるものではない。副熱交換器５２の出口５２２における水温を算出する方法については詳細な説明を省略する。
【００３８】
制御部１１０のメモリ１１２には、各種の情報が記憶されている。図２に示すように、メモリ１１２には、給湯利用箇所における給湯設定温度に応じた複数の切替テーブル１１４が記憶されている。図２には、代表として、給湯利用箇所における給湯設定温度が７０℃の場合の切替テーブル１１４が示されている。各切替テーブル１１４には、バーナ装置４０の燃焼状態の切り替えと、沸騰限界温度の切り替え時間との関係が登録されている。例えば、バーナ装置４０の燃焼状態の切り替え「小燃焼ｂ１→中燃焼ｂ２」に対して、沸騰限界温度の切り替え時間「１０秒」が登録されている。沸騰限界温度の切り替え時間は、後述する開閉状態調整処理において、沸騰限界温度を第１沸騰限界温度から第２沸騰限界温度に切り換えるときの第１沸騰限界温度の継続時間である。つまり、第１沸騰限界温度の設定を維持する時間である。
【００３９】
また、各切替テーブル１１４には、バーナ装置４０の燃焼状態の切り替えと、第１沸騰限界温度との関係が登録されている。また、各切替テーブル１１４には、バーナ装置４０の燃焼状態の切り替えと、第２沸騰限界温度との関係が登録されている。例えば、バーナ装置４０の燃焼状態の切り替え「小燃焼ｂ１→中燃焼ｂ２」に対して、第１沸騰限界温度「８７℃」と、第２沸騰限界温度「９０℃」が登録されている。第１沸騰限界温度と第２沸騰限界温度は、副熱交換器５２の出口５２２における水温に関する値である。第１沸騰限界温度と第２沸騰限界温度は、副熱交換器５２の出口５２２における水を沸騰させないための温度である。第１沸騰限界温度は、第２沸騰限界温度よりも低温である。
【００４０】
（バーナ装置の燃焼状態）
次に、図３を参照して、比例弁３５と第１切替電磁弁３６と第２切替電磁弁３７の開閉状態と、バーナ装置４０の燃焼状態との関係について説明する。図３（ａ）は、比例弁３５の開度とバーナ装置４０の燃焼状態との関係を示す図である。図３（ｂ）は、バーナ装置４０の燃焼量が増大する場合における第１切替電磁弁３６と第２切替電磁弁３７の開閉状態を示す図である。図３（ｃ）は、バーナ装置４０の燃焼量が減少する場合における第１切替電磁弁３６と第２切替電磁弁３７の開閉状態を示す図である。
【００４１】
上記の給湯器２では、第１切替電磁弁３６および／または第２切替電磁弁３７の開閉状態が変化すると、バーナ装置４０の燃焼状態が変化する。また、各燃焼状態において、比例弁３５の開度が変化すると、バーナ装置４０の燃焼量が変化する。また、バーナ装置４０の燃焼状態と燃焼量を調整するためには、比例弁３５と第１切替電磁弁３６と第２切替電磁弁３７の開閉状態を調整する。
【００４２】
バーナ装置４０の燃焼状態には、大きく分けて消火と点火が存在する。また、点火状態には、小燃焼ｂ１と中燃焼ｂ２と大燃焼ｂ３の燃焼状態が存在する。バーナ装置４０は、点火状態における小燃焼ｂ１と中燃焼ｂ２と大燃焼ｂ３のいずれかの燃焼状態で主熱交換器５１を加熱する。バーナ装置４０は、消火状態の場合は主熱交換器５１を加熱しない。消火状態では、バーナ装置４０の第１ガスバーナ４１と第２ガスバーナ４２の両方が消火している。点火状態では、バーナ装置４０の第１ガスバーナ４１および／または第２ガスバーナ４２が点火している。具体的には、小燃焼ｂ１では、バーナ装置４０の第１ガスバーナ４１が点火しており、第２ガスバーナ４２が消火している。中燃焼ｂ２では、第１ガスバーナ４１が消火しており、第２ガスバーナ４２が点火している。大燃焼ｂ３では、第１ガスバーナ４１と第２ガスバーナ４２の両方が点火している。
【００４３】
第１切替電磁弁３６と第２切替電磁弁３７の両方が閉状態になると、第１ガスバーナ４１と第２ガスバーナ４２の両方が消火する。よってこの場合は、消火状態となる。第１切替電磁弁３６および／または第２切替電磁弁３７が開状態になると、点火状態となる。具体的には、第１切替電磁弁３６が開状態になり、第２切替電磁弁３７が閉状態になると、第１ガスバーナ４１が点火し、第２ガスバーナ４２が消火する。よってこの場合は、バーナ装置４０の燃焼状態が小燃焼ｂ１となる。第１切替電磁弁３６が閉状態になり、第２切替電磁弁３７が開状態になると、第１ガスバーナ４１が消火し、第２ガスバーナ４２が点火する。よってこの場合は、バーナ装置４０の燃焼状態が中燃焼ｂ２となる。また、第１切替電磁弁３６と第２切替電磁弁３７の両方が開状態になると、第１ガスバーナ４１と第２ガスバーナ４２の両方が点火する。よってこの場合は、バーナ装置４０の燃焼状態が大燃焼ｂ３となる。
【００４４】
第１切替電磁弁３６および／または第２切替電磁弁３７の開閉状態が切り替わることによって、バーナ装置４０の燃焼状態が切り替わる。小燃焼ｂ１ではバーナ装置４０の燃焼量が最も小さく、大燃焼ｂ３ではバーナ装置４０の燃焼量が最も大きい。中燃焼ｂ２におけるバーナ装置４０の燃焼量は、小燃焼ｂ１におけるバーナ装置４０の燃焼量と大燃焼ｂ３におけるバーナ装置４０の燃焼量の中間である。
【００４５】
ここで、バーナ装置４０の燃焼量の増大処理と減少処理について説明する。上記の給湯器２では、制御部１１０が、増大処理と減少処理を実行可能である。増大処理は、第１切替電磁弁３６および／または第２切替電磁弁３７の開閉を切り替えて、バーナ装置４０（第１ガスバーナ４１および／または第２ガスバーナ４２）へ供給するガスの供給量を増大させる処理である。すなわち、増大処理は、バーナ装置４０の燃焼量を増大させる処理である。増大処理では、第１切替電磁弁３６と第２切替電磁弁３７の少なくとも一方を閉状態から開状態に切り替える。
【００４６】
また、増大処理には、第１増大処理と第２増大処理がある。第１増大処理は、第１切替電磁弁３６と第２切替電磁弁３７の両方が閉の状態から、第１切替電磁弁３６および／または第２切替電磁弁３７の開閉を切り替えて、バーナ装置４０へ供給するガスの供給量を増大させる処理である。バーナ装置４０の燃焼状態を消火から点火に切り替える処理が第１増大処理である。
【００４７】
第２増大処理は、第１切替電磁弁３６と第２切替電磁弁３７のいずれか一方が開の状態から、第１切替電磁弁３６および／または第２切替電磁弁３７の開閉を切り替えて、バーナ装置４０へ供給するガスの供給量を増大させる処理である。例えば、バーナ装置４０の燃焼状態を小燃焼ｂ１から中燃焼ｂ２に切り替える処理、および、中燃焼ｂ２から大燃焼ｂ３に切り替える処理が第２増大処理である。
【００４８】
また、減少処理は、第１切替電磁弁３６および／または第２切替電磁弁３７の開閉を切り替えて、バーナ装置４０（第１ガスバーナ４１および／または第２ガスバーナ４２）へ供給するガスの供給量を減少させる処理である。すなわち、増大処理は、バーナ装置４０の燃焼量を減少させる処理である。例えば、バーナ装置４０の燃焼状態を大燃焼ｂ３から中燃焼ｂ２に切り替える処理、および、中燃焼ｂ２から小燃焼ｂ１に切り替える処理が減少処理である。減少処理では、第１切替電磁弁３６と第２切替電磁弁３７の少なくとも一方を開状態から閉状態に切り替える。
【００４９】
また、図２に示すように、増大処理（第１増大処理と第２増大処理）および減少処理のそれぞれに対して、切り替え時間、第１沸騰限界温度および第２沸騰限界温度のそれぞれが設定されている。第１増大処理における沸騰限界温度の切り替え時間は、第２増大処理における沸騰限界温度の切り替え時間より長い。また、減少処理における沸騰限界温度の切り替え時間は、増大処理における沸騰限界温度の切り替え時間より長い。
【００５０】
また、上記の給湯器２では、小燃焼ｂ１と中燃焼ｂ２と大燃焼ｂ３の各燃焼状態において、比例弁３５の開度が大きいほどバーナ装置４０の燃焼量が大きくなり、比例弁３５の開度が小さいほどバーナ装置４０の燃焼量が小さくなる。また、バーナ装置４０の燃焼状態を小燃焼ｂ１から中燃焼ｂ２に切り替える場合は、制御部１１０が、比例弁３５の開度を矢印Ｒ１に沿って変化させる。バーナ装置４０の燃焼状態を中燃焼ｂ２から大燃焼ｂ３に切り替える場合は、制御部１１０が、比例弁３５の開度を矢印Ｒ２に沿って変化させる。バーナ装置４０の燃焼状態を大燃焼ｂ３から中燃焼ｂ２に切り替える場合は、制御部１１０が、比例弁３５の開度を矢印Ｒ３に沿って変化させる。また、バーナ装置４０の燃焼状態を中燃焼ｂ２から小燃焼ｂ１に切り替える場合は、制御部１１０が、比例弁３５の開度を矢印Ｒ４に沿って変化させる。
【００５１】
上記の給湯器２では、水を加熱するために必要な熱量に応じて、制御部１１０がバーナ装置４０の燃焼状態と燃焼量を調整する。例えば、給湯設定温度が高温に設定されており、給湯利用箇所に高温の水（湯）を供給する必要がある場合には、水を高温に加熱する必要があるので大きな熱量が必要になる。あるいは、給湯利用箇所に多量の水（湯）を供給する必要があり、そのため通水管２０を流れる水の流量が多い場合には、多量の水を加熱する必要があるので大きな熱量が必要になる。このような場合には、制御部１１０がバーナ装置４０の燃焼量を増大させる。具体的には、制御部１１０が、バーナ装置４０の燃焼量が増大するように、比例弁３５と第１切替電磁弁３６と第２切替電磁弁３７の開閉状態を調整する。例えば、第１切替電磁弁３６および／または第２切替電磁弁３７を開状態に切り替える。また、比例弁３５の開度を大きくする。
【００５２】
一方、例えば、給湯設定温度が低温に設定されており、給湯利用箇所に低温の水（湯）を供給する必要がある場合には、水を高温に加熱する必要がないので大きな熱量が必要にならない。あるいは、給湯利用箇所に多量の水（湯）を供給する必要がなく、そのため通水管２０を流れる水の流量が少ない場合には、多量の水を加熱する必要がないので大きな熱量が必要にならない。このような場合には、制御部１１０がバーナ装置４０の燃焼量を減少させる。具体的には、制御部１１０が、バーナ装置４０の燃焼量が減少するように、比例弁３５と第１切替電磁弁３６と第２切替電磁弁３７の開閉状態を調整する。例えば、第１切替電磁弁３６および／または第２切替電磁弁３７の閉状態に切り替える。また、比例弁３５の開度を小さくする。
【００５３】
（給湯器の動作）
次に、上記の構成を備える給湯器２の動作について説明する。上記の給湯器２では、給湯器２のユーザが給湯栓５６を開くと通水管２０内の水が流れ始める。通水管２０内の水が流れて、流量センサ５３によって検出される通水管２０内の水の流量が所定流量（例えば３Ｌ／ｍｉｎ）以上になると給湯運転が開始される。
【００５４】
給湯運転が開始されると、制御部１１０が、バーナ装置４０の下方に配置されているファン９をオンにする。すなわち、流量センサ５３によって検出される水の流量が所定流量以上になると、制御部１１０がファン９を動作させる。ファン９が動作すると、ファン９からバーナ装置４０に燃焼用の空気が供給される。
【００５５】
また、給湯運転が開始されると、制御部１１０が、ガス供給管３０に設けられている元電磁弁３４を開状態にする。また、制御部１１０が、ガス供給管３０に設けられている第１切替電磁弁３６と第２切替電磁弁３７の少なくとも１個を開状態にする。そうすると、ガス供給源（例えばガスの元栓）からガス供給管３０に供給されている燃焼用のガスが、ガス供給管３０を通じてバーナ装置４０に供給される。バーナ装置４０では、供給されたガスと空気の混合気体が燃焼することによって燃焼熱が発生する。バーナ装置４０で発生した燃焼熱によって主熱交換器５１が加熱される。また、主熱交換器５１からの排熱によって副熱交換器５２が加熱される。
【００５６】
また、上記の給湯器２では、通水管２０内の水が流れると、給水源（例えば水道）から給水管２１に供給されている水が、給水管２１と副熱交換器５２と連絡管２２と主熱交換器５１と給湯管２３を順に流れ、給湯管２３から給湯利用箇所に供給される。通水管２０を流れる水は、副熱交換器５２と主熱交換器５１を通過する過程で熱交換によって加熱される。副熱交換器５２と主熱交換器５１で加熱された後の高温の水（湯）が給湯管２３から給湯利用箇所に供給される。給湯利用箇所に所定の給湯設定温度（例えば７０℃）の水（湯）が供給される。所定の給湯設定温度はリモコン１４０で予め設定されている。
【００５７】
その後、給湯器２のユーザが給湯栓５６を閉じると通水管２０内の水の流れが止まる。流量センサ５３によって検出される通水管２０内の水の流量が所定流量未満になると、制御部１１０が給湯運転を終了させる。制御部１１０は、バーナ装置４０の下方に配置されているファン９を停止させる。また、制御部１１０は、元電磁弁３４と第１切替電磁弁３６と第２切替電磁弁３７を閉状態にする。
【００５８】
給湯器２では、第１切替電磁弁３６および／または第２切替電磁弁３７の開閉状態を切り替えたときに、バーナ装置４０の燃焼量が一時的に想定以上の燃焼量となり、主熱交換器５１が一時的に加熱され過ぎ、主熱交換器５１が予定よりも高温に加熱されてしまう可能性がある。そうすると、主熱交換器５１と副熱交換器５２によって水が予定よりも高温に加熱され、副熱交換器５２の出口における水温が高くなり過ぎる可能性がある。そのため、上記の給湯器２では、以下に説明する開閉状態調整処理を実行する。
【００５９】
（開閉状態調整処理）
次に、図４を参照して、上記の給湯器２で実行される開閉状態調整処理について説明する。上記の給湯器２では、制御部１１０が開閉状態調整処理を実行することによってバーナ装置４０の燃焼量を調整する。
【００６０】
図４に示すように、まずステップＳ１１では、制御部１１０が、第１切替電磁弁３６および／または第２切替電磁弁３７の開閉状態を切り替える必要があるか否かを判断する。開閉状態を切り替える必要がある場合は、ステップＳ１１で制御部１１０がＹｅｓと判断してステップＳ１２に進む。一方、開閉状態を切り替える必要がない場合は、ステップＳ１１で制御部１１０がＮｏと判断して待機する。例えば、給湯利用箇所に水（湯）が供給されている状態で、給湯利用箇所におけるユーザによる給湯利用量が更に増大し、給湯利用箇所に供給される水（湯）の流量が増大したとする。この場合には、通水管２０を流れる水の流量が増大するので、増大した水を加熱するためにバーナ装置４０の燃焼量を増大させる必要がある。そのために、例えばバーナ装置４０の燃焼状態を小燃焼ｂ１から中燃焼ｂ２に切り替える場合がある。この場合には、小燃焼ｂ１から中燃焼ｂ２に切り替えるために、第１切替電磁弁３６を開状態から閉状態に切り替え、第２切替電磁弁３７を閉状態から開状態に切り替える必要がある。例えばこのような場合には、ステップＳ１１で制御部１１０がＹｅｓと判断する。
【００６１】
続いてステップＳ１２では、制御部１１０が、沸騰限界温度の切り替え時間を設定する。具体的には、制御部１１０は、給湯利用箇所における給湯設定温度に応じて、メモリ１１２に記憶されている切替テーブル１１４を選択する（図２参照）。また、制御部１１０は、メモリ１１２に記憶されている切替テーブル１１４から沸騰限界温度の切り替え時間を選択する。制御部１１０は、バーナ装置４０の燃焼状態の切り替えに応じて沸騰限界温度の切り替え時間を選択する。例えば、バーナ装置４０の燃焼状態が小燃焼ｂ１から中燃焼ｂ２に切り替わる場合には、制御部１１０が、沸騰限界温度の切り替え時間を１０秒に設定する。
【００６２】
続いてステップＳ１３では、制御部１１０が、第１沸騰限界温度を設定する。制御部１１０は、メモリ１１２に記憶されている切替テーブル１１４から第１沸騰限界温度を選択する（図２参照）。制御部１１０は、バーナ装置４０の燃焼状態の切り替えに応じて第１沸騰限界温度を選択する。例えば、バーナ装置４０の燃焼状態が小燃焼ｂ１から中燃焼ｂ２に切り替わる場合には、制御部１１０が、第１沸騰限界温度を８７℃に設定する。
【００６３】
続いてステップＳ１４では、制御部１１０が、第１切替電磁弁３６および／または第２切替電磁弁３７の開閉状態を切り替える。例えば、バーナ装置４０の燃焼状態を小燃焼ｂ１から中燃焼ｂ２に切り替えるために、第１切替電磁弁３６を開状態から閉状態に切り替え、第２切替電磁弁３７を閉状態から開状態に切り替える。
【００６４】
第１切替電磁弁３６および／または第２切替電磁弁３７の開閉状態が切り替わると、バーナ装置４０の燃焼状態が切り替わる。そのときに、バーナ装置４０の燃焼量が一時的に想定以上の燃焼量となり、主熱交換器５１が一時的に加熱され過ぎ、主熱交換器５１が予定よりも高温に加熱されてしまう可能性がある。そうすると、主熱交換器５１と副熱交換器５２によって水が予定よりも高温に加熱され、副熱交換器５２の出口における水温が高くなり過ぎる可能性がある。
【００６５】
続いてステップＳ１５では、制御部１１０が、比例弁３５の開度を調整する。制御部１１０は、副熱交換器５２の出口５２２における水温が第１沸騰限界温度以下になるように、比例弁３５の開度を調整する。制御部１１０は、副熱交換器５２の出口５２２における水温が第１沸騰限界温度以下に抑制されるように比例弁３５を制御する。制御部１１０は、比例弁３５の開度を、給湯利用箇所に目的の給湯設定温度（例えば７０℃）の水（湯）を供給する場合における開度よりも小さくする。制御部１１０は、流量センサ５３によって検出された水の流量に基づいて算出した副熱交換器５２の出口５２２における水温を参照して比例弁３５の開度を調整する。副熱交換器５２の出口５２２における水温が第１沸騰限界温度以下に抑制されるように制御部１１０が比例弁３５を制御する具体的な制御方法は特に限定されるものではない。この制御方法については、詳細な説明を省略する。
【００６６】
制御部１１０が比例弁３５の開度を調整することによって、第１ガスバーナ４１および／または第２ガスバーナ４２へ供給されるガスの供給量が調整される。これによって、バーナ装置４０（第１ガスバーナ４１および／または第２ガスバーナ４２）の燃焼量が調整される。バーナ装置４０の燃焼量が調整されることによって、副熱交換器５２の出口５２２における水温が第１沸騰限界温度以下になる。
【００６７】
続いてステップＳ１６では、制御部１１０が、再び上記のステップＳ１１と同様に、第１切替電磁弁３６および／または第２切替電磁弁３７の開閉状態を切り替える必要があるか否かを判断する。開閉状態を切り替える必要がある場合は、ステップＳ１１で制御部１１０がＹｅｓと判断してステップＳ１２に戻る。ステップＳ１２では、制御部１１０が、改めて沸騰限界温度の切り替え時間を設定する。一方、開閉状態を切り替える必要がない場合は、ステップＳ１１で制御部１１０がＮｏと判断してステップＳ１７に進む。
【００６８】
続いてステップＳ１７では、制御部１１０が、第１切替電磁弁３６および／または第２切替電磁弁３７の開閉状態を切り替えてから沸騰限界温度の切り替え時間が経過したか否かを監視する。沸騰限界温度の切り替え時間が経過した場合は、ステップＳ１７で制御部１１０がＹｅｓと判断してステップＳ１８に進む。一方、沸騰限界温度の切り替え時間が経過していない場合は、ステップＳ１７で制御部１１０がＮｏと判断して待機する。第１切替電磁弁３６および／または第２切替電磁弁３７の開閉状態が切り替わってから沸騰限界温度の切り替え時間が経過するまでの間、第１沸騰限界温度の設定が維持される。沸騰限界温度の切り替え時間が経過するまでの間、比例弁３５の開度調整が維持される。
【００６９】
続いてステップＳ１８では、制御部１１０が、第２沸騰限界温度を設定する。制御部１１０は、メモリ１１２に記憶されている切替テーブル１１４から第２沸騰限界温度を選択する（図２参照）。制御部１１０は、バーナ装置４０の燃焼状態の切り替えに応じて第２沸騰限界温度を選択する。例えば、上記のステップＳ１４でバーナ装置４０の燃焼状態が小燃焼ｂ１から中燃焼ｂ２に切り替わった場合には、制御部１１０が、第２沸騰限界温度を９０℃に設定する。
【００７０】
続いてステップＳ１９では、制御部１１０が、比例弁３５の開度を増大させる。制御部１１０は、副熱交換器５２の出口５２２における水温が第１沸騰限界温度より高温の第２沸騰限界温度以下になるように、比例弁３５の開度を増大させる。制御部１１０は、副熱交換器５２の出口５２２における水温が第２沸騰限界温度以下に抑制されるように比例弁３５を制御する。制御部１１０は、比例弁３５の開度を、給湯利用箇所に目的の給湯設定温度（例えば７０℃）の水（湯）を供給するための開度にする。制御部１１０は、流量センサ５３によって検出された水の流量に基づいて算出した副熱交換器５２の出口５２２における水温を参照して比例弁３５の開度を調整する。副熱交換器５２の出口５２２における水温が第１沸騰限界温度より高温の第２沸騰限界温度以下に抑制されるように制御部１１０が比例弁３５を制御する具体的な制御方法は特に限定されるものではない。この制御方法については、詳細な説明を省略する。
【００７１】
制御部１１０が比例弁３５の開度を増大させることによって、第１ガスバーナ４１および／または第２ガスバーナ４２へ供給されるガスの供給量が増大する。これによって、バーナ装置４０（第１ガスバーナ４１および／または第２ガスバーナ４２）の燃焼量が増大する。バーナ装置４０の燃焼量が増大することによって、副熱交換器５２の出口５２２における水温が第１沸騰限界温度より高温の第２沸騰限界温度以下になる。制御部１１０は、ステップＳ１９の処理を終えるとステップＳ１１に戻る。
【００７２】
（具体的なケース）
次に、上記の給湯器２によって実現される具体的なケースの一例について説明する。
【００７３】
（ケース１：第１増大処理）
ケース１の初期状態では、給湯利用箇所における給湯設定温度が７０℃に設定されているとする。また、給湯利用箇所に水（湯）が供給されていないとする。したがって、通水管２０を流れる水の流量が０Ｌ／ｍｉｎである。つまり、流量センサ５３によって検出される流量が０Ｌ／ｍｉｎである。また、バーナ装置４０の燃焼状態が消火状態であるとする。したがって、第１切替電磁弁３６と第２切替電磁弁３７の両方が閉状態である。第１ガスバーナ４１と第２ガスバーナ４２の両方が消火している。また、図５に示すように、比例弁３５の開度がｘ１であるとする。ケース１の初期状態は、図５の点Ｐ１の状態である。
【００７４】
続いて、上記の初期状態から、給湯利用箇所に供給される水（湯）の流量が４Ｌ／ｍｉｎになったとする。例えば、給湯器２のユーザが給湯栓５６を開くことによって、給湯利用箇所に４Ｌ／ｍｉｎの水（湯）が供給されたとする。したがって、通水管２０を流れる水の流量が４Ｌ／ｍｉｎになる。流量センサ５３によって検出される流量が４Ｌ／ｍｉｎになる。
【００７５】
通水管２０を流れる水の流量が増大すると、その水を加熱するためにバーナ装置４０の燃焼量を変化させる必要がある。ケース１では、バーナ装置４０の燃焼状態を消火状態から点火状態（小燃焼ｂ１）に切り替える必要があるとする。すなわち、第１切替電磁弁３６を閉状態から開状態に切り替える必要があるとする（図４のステップＳ１１でＹｅｓ）。
【００７６】
この場合は、制御部１１０が、メモリ１１２に記憶されている切替テーブル１１４（図２参照）に基づいて、沸騰限界温度の切り替え時間を２０秒に設定する（図４のステップＳ１２）。また、制御部１１０が、切替テーブル１１４（図２参照）に基づいて、第１沸騰限界温度を８３℃に設定する（図４のステップＳ１３）。そして、制御部１１０が、第１切替電磁弁３６を閉状態から開状態に切り替える（図４のステップＳ１４）。第２切替電磁弁３７は閉状態に維持される。すなわち、制御部１１０が、バーナ装置４０の燃焼状態を消火状態から点火状態（小燃焼ｂ１）に切り替える。別言すると、制御部１１０が、第１増大処理を実行する。第１増大処理は、第１切替電磁弁３６と第２切替電磁弁３７の両方が閉の状態から、第１切替電磁弁３６および／または第２切替電磁弁３７の開閉を切り替えて、バーナ装置４０へ供給するガスの供給量を増大させる処理である。これによって、バーナ装置４０の燃焼量が増大する。
【００７７】
バーナ装置４０の燃焼量が変化するときに、バーナ装置４０の燃焼量が一時的に想定以上の燃焼量となってしまい、それによって主熱交換器５１が一時的に加熱され過ぎ、主熱交換器５１が予定よりも高温に加熱されてしまう可能性がある。そうすると、主熱交換器５１と副熱交換器５２によって水が予定よりも高温に加熱され、副熱交換器５２の出口５２２における水温が高くなり過ぎる可能性がある。そこで上記の給湯器２では、制御部１１０が、副熱交換器５２の出口５２２における水温が第１沸騰限界温度（８３℃）以下になるように、比例弁３５の開度をｘ２に調整する（図４のステップＳ１５）。開度調整後の状態は、図５の点Ｐ２の状態である。制御部１１０が比例弁３５の開度を調整することによって、バーナ装置４０の燃焼量が調整される。これによって、主熱交換器５１の加熱量が調整され、副熱交換器５２の出口５２２における水温が第１沸騰限界温度（８３℃）以下になる。
【００７８】
その後、制御部１１０は、第１切替電磁弁３６の開閉状態を切り替えてから沸騰限界温度の切り替え時間（２０秒）が経過した場合は（図４のステップＳ１７でＹｅｓ）、メモリ１１２に記憶されている切替テーブル１１４（図２参照）に基づいて、第２沸騰限界温度を９０℃に設定する（図４のステップＳ１８）。
【００７９】
続いて、制御部１１０は、副熱交換器５２の出口５２２における水温が第２沸騰限界温度（９０℃）以下になるように、比例弁３５の開度をｘ３に増大する（図４のステップＳ１９）。開度増大後の状態は、図３の点Ｐ３の状態である。制御部１１０が比例弁３５の開度を増大することによって、バーナ装置４０の燃焼量が増大する。これによって、主熱交換器５１の加熱量が増大し、副熱交換器５２の出口５２２における水温が第１沸騰限界温度（８３℃）より高温の第２沸騰限界温度（９０℃）以下になる。
【００８０】
（ケース２：第２増大処理）
ケース２の初期状態では、給湯利用箇所における給湯設定温度が７０℃に設定されているとする。また、給湯利用箇所に供給されている水（湯）の流量が５Ｌ／ｍｉｎであるとする。したがって、通水管２０を流れる水の流量が５Ｌ／ｍｉｎである。つまり、流量センサ５３によって検出される流量が５Ｌ／ｍｉｎである。また、バーナ装置４０の燃焼状態が小燃焼ｂ１であるとする。したがって、第１切替電磁弁３６が開状態であり、第２切替電磁弁３７が閉状態である。第１ガスバーナ４１が点火しており、第２ガスバーナ４２が消火している。また、図６に示すように、比例弁３５の開度がｘ４であるとする。ケース２の初期状態は、図６の点Ｐ４の状態である。
【００８１】
続いて、上記の初期状態から、給湯利用箇所に供給される水（湯）の流量が５Ｌ／ｍｉｎから８Ｌ／ｍｉｎに増大したとする。例えば、給湯器２のユーザが給湯栓５６の開度を大きくすることによって、給湯利用箇所に供給される水（湯）の流量が増大したとする。したがって、通水管２０を流れる水の流量が５Ｌ／ｍｉｎから８Ｌ／ｍｉｎに増大する。流量センサ５３によって検出される流量が５Ｌ／ｍｉｎから８Ｌ／ｍｉｎに増大する。
【００８２】
通水管２０を流れる水の流量が増大すると、流量が増大した水を加熱するためにバーナ装置４０の燃焼量を変化させる必要がある。ケース２では、バーナ装置４０の燃焼状態を小燃焼ｂ１から中燃焼ｂ２に切り替える必要があるとする。すなわち、第１切替電磁弁３６を開状態から閉状態に切り替え、第２切替電磁弁３７を閉状態から開状態に切り替える必要があるとする（図４のステップＳ１１でＹｅｓ）。
【００８３】
この場合は、制御部１１０が、メモリ１１２に記憶されている切替テーブル１１４（図２参照）に基づいて、沸騰限界温度の切り替え時間を１０秒に設定する（図４のステップＳ１２）。また、制御部１１０が、切替テーブル１１４（図２参照）に基づいて、第１沸騰限界温度を８７℃に設定する（図４のステップＳ１３）。そして、制御部１１０が、第１切替電磁弁３６を開状態から閉状態に切り替え、第２切替電磁弁３７を閉状態から開状態に切り替える（図４のステップＳ１４）。すなわち、制御部１１０が、バーナ装置４０の燃焼状態を小燃焼ｂ１から中燃焼ｂ２に切り替える。別言すると、制御部１１０が、第２増大処理を実行する。第２増大処理は、第１切替電磁弁３６と第２切替電磁弁３７のいずれか一方が開の状態から、第１切替電磁弁３６および／または第２切替電磁弁３７の開閉を切り替えて、バーナ装置４０へ供給するガスの供給量を増大させる処理である。これによって、バーナ装置４０の燃焼量が増大する。
【００８４】
バーナ装置４０の燃焼量が変化するときに、バーナ装置４０の燃焼量が一時的に想定以上の燃焼量となってしまい、それによって主熱交換器５１が一時的に加熱され過ぎ、主熱交換器５１が予定よりも高温に加熱されてしまう可能性がある。そうすると、主熱交換器５１と副熱交換器５２によって水が予定よりも高温に加熱され、副熱交換器５２の出口５２２における水温が高くなり過ぎる可能性がある。そこで上記の給湯器２では、制御部１１０が、副熱交換器５２の出口５２２における水温が第１沸騰限界温度（８７℃）以下になるように、比例弁３５の開度をｘ５に調整する（図４のステップＳ１５）。開度調整後の状態は、図６の点Ｐ５の状態である。制御部１１０が比例弁３５の開度を調整することによって、バーナ装置４０の燃焼量が調整される。これによって、主熱交換器５１の加熱量が調整され、副熱交換器５２の出口５２２における水温が第１沸騰限界温度（８７℃）以下になる。
【００８５】
その後、制御部１１０は、第１切替電磁弁３６と第２切替電磁弁３７の開閉状態を切り替えてから沸騰限界温度の切り替え時間（１０秒）が経過した場合は（図４のステップＳ１７でＹｅｓ）、メモリ１１２に記憶されている切替テーブル１１４（図２参照）に基づいて、第２沸騰限界温度を９０℃に設定する（図４のステップＳ１８）。
【００８６】
続いて、制御部１１０は、副熱交換器５２の出口５２２における水温が第２沸騰限界温度（９０℃）以下になるように、比例弁３５の開度をｘ６に増大する（図４のステップＳ１９）。開度増大後の状態は、図６の点Ｐ６の状態である。制御部１１０が比例弁３５の開度を増大することによって、バーナ装置４０の燃焼量が増大する。これによって、主熱交換器５１の加熱量が増大し、副熱交換器５２の出口５２２における水温が第１沸騰限界温度（８７℃）より高温の第２沸騰限界温度（９０℃）以下になる。
【００８７】
（ケース３：減少処理）
次に、ケース３について説明する。ケース３の初期状態では、給湯利用箇所における給湯設定温度が７０℃に設定されているとする。また、給湯利用箇所に供給されている水（湯）の流量が１５Ｌ／ｍｉｎであるとする。したがって、通水管２０を流れる水の流量が１５Ｌ／ｍｉｎである。つまり、流量センサ５３によって検出される流量が１５Ｌ／ｍｉｎである。また、バーナ装置４０の燃焼状態が大燃焼ｂ３であるとする。したがって、第１切替電磁弁３６と第２切替電磁弁３７の両方が開状態である。第１ガスバーナ４１と第２ガスバーナ４２の両方が点火している。また、図７に示すように、比例弁３５の開度がｘ７であるとする。ケース３の初期状態は、図７の点Ｐ７の状態である。
【００８８】
続いて、上記の初期状態から、給湯利用箇所に供給される水（湯）の流量が１５Ｌ／ｍｉｎから１２Ｌ／ｍｉｎに減少したとする。例えば、給湯器２のユーザが給湯栓５６の開度を小さくすることによって、給湯利用箇所に供給される水（湯）の流量が減少したとする。したがって、通水管２０を流れる水の流量が１５Ｌ／ｍｉｎから１２Ｌ／ｍｉｎに減少する。流量センサ５３によって検出される流量が１５Ｌ／ｍｉｎから１２Ｌ／ｍｉｎに減少する。
【００８９】
通水管２０を流れる水の流量が減少すると、減少した水を加熱するためには小さな熱量で十分なので、バーナ装置４０の燃焼量を変化させる必要がある。ケース３では、バーナ装置４０の燃焼状態を大燃焼ｂ３から中燃焼ｂ２に切り替える必要があるとする。すなわち、第１切替電磁弁３６を開状態から閉状態に切り替える必要があるとする（図４のステップＳ１１でＹｅｓ）。
【００９０】
この場合は、制御部１１０が、メモリ１１２に記憶されている切替テーブル１１４（図２参照）に基づいて、沸騰限界温度の切り替え時間を２０秒に設定する（図４のステップＳ１２）。また、制御部１１０が、切替テーブル１１４（図２参照）に基づいて、第１沸騰限界温度を８３℃に設定する（図４のステップＳ１３）。そして、制御部１１０が、第１切替電磁弁３６を開状態から閉状態に切り替える（図４のステップＳ１４）。第２切替電磁弁３７は開状態に維持される。すなわち、制御部１１０が、バーナ装置４０の燃焼状態を大燃焼ｂ３から中燃焼ｂ２に切り替える。別言すると、制御部１１０が、減少処理を実行する。減少処理は、第１切替電磁弁３６および／または第２切替電磁弁３７の開閉を切り替えて、バーナ装置４０へ供給するガスの供給量を減少させる処理である。これによって、バーナ装置４０の燃焼量が減少する。
【００９１】
バーナ装置４０の燃焼量が変化するときに、バーナ装置４０の燃焼量が一時的に想定以上の燃焼量となってしまい、それによって主熱交換器５１が一時的に加熱され過ぎ、主熱交換器５１が予定よりも高温に加熱されてしまう可能性がある。そうすると、主熱交換器５１と副熱交換器５２によって水が予定よりも高温に加熱され、副熱交換器５２の出口５２２における水温が高くなり過ぎる可能性がある。そこで上記の給湯器２では、制御部１１０が、副熱交換器５２の出口５２２における水温が第１沸騰限界温度（８３℃）以下になるように、比例弁３５の開度をｘ８に調整する（図４のステップＳ１５）。開度調整後の状態は、図７の点Ｐ８の状態である。制御部１１０が比例弁３５の開度を調整することによって、バーナ装置４０の燃焼量が調整される。これによって、主熱交換器５１の加熱量が調整され、副熱交換器５２の出口５２２における水温が第１沸騰限界温度（８３℃）以下になる。
【００９２】
その後、制御部１１０は、第１切替電磁弁３６の開閉状態を切り替えてから沸騰限界温度の切り替え時間（２０秒）が経過した場合は（図４のステップＳ１７でＹｅｓ）、メモリ１１２に記憶されている切替テーブル１１４（図２参照）に基づいて、第２沸騰限界温度を９０℃に設定する（図４のステップＳ１８）。
【００９３】
続いて、制御部１１０は、副熱交換器５２の出口５２２における水温が第２沸騰限界温度（９０℃）以下になるように、比例弁３５の開度をｘ９に増大する（図４のステップＳ１９）。開度増大後の状態は、図７の点Ｐ９の状態である。制御部１１０が比例弁３５の開度を増大することによって、バーナ装置４０の燃焼量が増大する。これによって、主熱交換器５１の加熱量が増大し、副熱交換器５２の出口５２２における水温が第１沸騰限界温度（８３℃）より高温の第２沸騰限界温度（９０℃）以下になる。
【００９４】
以上、実施例に係る給湯器２について説明した。上記の説明から明らかなように、実施例に係る給湯器２では、制御部１１０が、第１切替電磁弁３６および／または第２切替電磁弁３７の開閉を切り替えたときに、副熱交換器５２の出口５２２における水温が第１沸騰限界温度以下に抑制されるように比例弁３５を制御している（図４のステップＳ１２−Ｓ１５参照）。また、その後に、制御部１１０が、副熱交換器５２の出口５２２における水温が第１沸騰限界温度より高温の第２沸騰限界温度以下に抑制されるように比例弁３５を制御している（図４のステップＳ１７−Ｓ１９参照）。
【００９５】
この構成によれば、制御部１１０が第１切替電磁弁３６および／または第２切替電磁弁３７の開閉を切り替えたときには、副熱交換器５２の出口５２２における水温が第１沸騰限界温度以下になるように比例弁３５の開度を調整することによって、第１ガスバーナ４１および／または第２ガスバーナ４２へ供給するガスの供給量を調整している。したがって、バーナ装置４０（第１ガスバーナ４１および／または第２ガスバーナ４２）の燃焼量を抑制することができる。これによって、制御部１１０が第１切替電磁弁３６および／または第２切替電磁弁３７の開閉を切り替えた直後には、第１ガスバーナ４１および／または第２ガスバーナ４２の燃焼量が一時的に想定以上の燃焼量となってしまい、主熱交換器５１が一時的に加熱され過ぎることを防止することができる。また、制御部１１０がバーナ装置４０の燃焼量を抑制した後には、副熱交換器５２の出口５２２における水温が第１沸騰限界温度より高温の第２沸騰限界温度以下となるように比例弁３５の開度を調整することによって、第１ガスバーナ４１および／または第２ガスバーナ４２へ供給するガスの供給量を調整している。したがって、バーナ装置４０（第１ガスバーナ４１および／または第２ガスバーナ４２）の燃焼量を増大させることができる。これによって、バーナ装置４０による主熱交換器５１の加熱を促進することができ、主熱交換器５１と副熱交換器５２による水の加熱を促進することができる。このように、第１切替電磁弁３６および／または第２切替電磁弁３７の開閉を切り替えた直後にはバーナ装置４０（第１ガスバーナお４１よび／または第２ガスバーナ４２）による主熱交換器５１の加熱を抑制し、その後にバーナ装置４０による主熱交換器５１の加熱を促進することによって、主熱交換器５１と副熱交換器５２による水の加熱を段階的に行うことができる。そのため、主熱交換器５１と副熱交換器５２によって水が一時的に急激に加熱されることがなく、副熱交換器５２の出口５２２における水温が高くなり過ぎることを抑制できる。
【００９６】
また、上記の給湯器２では、制御部１１０が、第１切替電磁弁３６および／または第２切替電磁弁３７の開閉を切り替えて第１ガスバーナ４１および／または第２ガスバーナ４２へ供給するガスの供給量を増大させる増大処理（ケース２参照）と、第１切替電磁弁３６および／または第２切替電磁弁３７の開閉を切り替えて第１ガスバーナ４１および／または第２ガスバーナ４２へ供給するガスの供給量を減少させる減少処理（ケース３参照）を実行可能である。また、減少処理（ケース３参照）の場合に制御部１１０が副熱交換器５２の出口５２２における水温が第１沸騰限界温度以下に抑制されるように比例弁３５を制御する時間（切り替え時間）が、増大処理（ケース２参照）の場合に制御部１１０が副熱交換器５２の出口５２２における水温が第１沸騰限界温度以下に抑制されるように比例弁３５を制御する時間（切り替え時間）より長い（図２参照）。
【００９７】
ガスの供給量を増大させる増大処理の場合には、増大前では比較的小さなガスの燃焼量で主熱交換器５１が加熱され、増大後では比較的大きなガスの燃焼量で主熱交換器５１が加熱されることになる。これに対して、ガスの供給量を減少させる減少処理の場合には、減少前では比較的大きなガスの燃焼量で主熱交換器５１が加熱され、減少後では比較的小さなガスの燃焼量で主熱交換器５１が加熱されることになる。減少処理の場合には、減少前に比較的大きなガスの燃焼量で主熱交換器５１が加熱されるので、減少後であっても暫くの間は、主熱交換器５１と副熱交換器５２が比較的大きな熱量を有することになる。したがって、減少処理の場合には、減少後に比較的小さなガスの燃焼量で主熱交換器５１が加熱されているにもかかわらず、暫くの間は、主熱交換器５１と副熱交換器５２が比較的大きな熱量を有しているので、主熱交換器５１と副熱交換器５２によって水が想定以上に加熱されてしまう可能性がある。そこで、減少処理の場合には、増大処理の場合よりも、制御部１１０が副熱交換器５２の出口における水温が第１沸騰限界温度以下に抑制されるように比例弁３５を制御する時間（切り替え時間）を長くしている（図２参照）。この構成によれば、減少処理の場合には、バーナ装置４０（第１ガスバーナ４１および／または第２ガスバーナ４２）の燃焼量をより長い時間抑制することができる。そのため、バーナ装置４０による主熱交換器５１の加熱がより長い時間抑制され、副熱交換器５２の出口における水温が高くなり過ぎることを抑制できる。
【００９８】
また、上記の給湯器２では、制御部１１０が、第１切替電磁弁３６および第２切替電磁弁３７が閉の状態から、第１切替電磁弁３６および／または第２切替電磁弁３７の開閉を切り替えて第１ガスバーナ４１および／または第２ガスバーナ４２へ供給するガスの供給量を増大させる第１増大処理（ケース１参照）と、第１切替電磁弁３６または第２切替電磁弁３７が開の状態から、第１切替電磁弁３６および／または第２切替電磁弁３７の開閉を切り替えて第１ガスバーナ４１および／または第２ガスバーナ４２へ供給するガスの供給量を増大させる第２増大処理（ケース２参照）を実行可能である。第１増大処理（ケース１参照）の場合に制御部１１０が副熱交換器５２の出口５２２における水温が第１沸騰限界温度以下に抑制されるように３５比例弁を制御する時間（切り替え時間）が、第２増大処理（ケース２参照）の場合に制御部１１０が副熱交換器５２の出口５２２における水温が第１沸騰限界温度以下に抑制されるように比例弁３５を制御する時間（切り替え時間）より長い（図２参照）。
【００９９】
第１切替電磁弁３６または第２切替電磁弁３７のどちらかが開の状態では、第１ガスバーナ４１または第２ガスバーナ４２のどちらかによって主熱交換器５１が加熱されている。これに対して、第１切替電磁弁３６および第２切替電磁弁３７の両方が閉の状態では、第１ガスバーナ４１および第２ガスバーナ４２によって熱交換器が全く加熱されていない。そのため、第１切替電磁弁３６および第２切替電磁弁３７が閉の状態からガスの供給量が増大する第１増大処理（ケース１参照）の場合には、主熱交換器５１が全く加熱されていない状態から加熱される状態に移行するので、第１切替電磁弁３６または第２切替電磁弁３７が開の状態からガスの供給量が増大する第２増大処理（ケース２参照）の場合よりも、主熱交換器５１が急激に加熱されることになる。そうすると、主熱交換器５１と副熱交換器５２によって水が急激に加熱され、水が想定以上に加熱されてしまう可能性がある。そこで、第１増大処理の場合には、第２増大処理の場合よりも、制御部１１０が副熱交換器５２の出口５２２における水温が第１沸騰限界温度以下に抑制されるように比例弁３５を制御する時間（切り替え時間）を長くしている（図２参照）。この構成によれば、第１増大処理の場合には、バーナ装置４０（第１ガスバーナ４１および／または第２ガスバーナ４２）の燃焼量をより長い時間抑制することができる。そのため、バーナ装置４０による主熱交換器５１の加熱がより長い時間抑制され、副熱交換器５２の出口５２２における水温が高くなり過ぎることを抑制できる。
【０１００】
（対応関係）
上記の第１切替電磁弁３６が第１開閉弁の一例であり、第２切替電磁弁３７が第２開閉弁の一例である。また、主熱交換器５１と副熱交換器５２が熱交換器の一例である。
【０１０１】
以上、一実施例について説明したが、具体的な態様は上記実施例に限定されるものではない。以下の説明において、上述の説明における構成と同様の構成については、同一の符号を付して説明を省略する。
【０１０２】
（他の実施例）
上記の実施例では、給湯器２が副熱交換器５２を備えている潜熱回収型給湯器であったが、この構成に限定されるものではない。他の実施例では、給湯器２が副熱交換器５２を備えていなくてもよい。この場合は、制御部１１０が、主熱交換器５１の出口５１２における水温が第１沸騰限界温度以下に抑制されるように比例弁３５の開度を調整する。その後、制御部１１０が、主熱交換器５１の出口５１２における水温が第１沸騰限界温度より高温の第２沸騰限界温度以下に抑制されるように比例弁３５の開度を調整する。
【０１０３】
上記の実施例では、制御部１１０が、沸騰限界温度の切り替え時間が経過した後に（図４のステップＳ１７でＹｅｓ）、比例弁３５の開度を増大させていたが、この構成に限定されるものではない。他の実施例では、制御部１１０が、出湯サーミスタ５５によって検出される水（湯）の温度が安定した後に、比例弁３５の開度を増大させる構成であってもよい。すなわち、図８に示すように、ステップＳ１６でＮｏと判断した後のステップＳ２７では、制御部１１０が、出湯サーミスタ５５によって検出される水（湯）の温度が安定したか否かを監視する。すなわち、制御部１１０が、給湯管２３を通じて給湯利用箇所に供給される水（湯）の温度が安定したか否かを監視する。水（湯）の温度が安定したか否かは、例えば、単位時間あたりの水温の変化量に基づいて判断することができる。水（湯）の温度が安定した場合は、ステップＳ１７で制御部１１０がＹｅｓと判断してステップＳ１８に進む。一方、水（湯）の温度が安定していない場合は、ステップＳ１７で制御部１１０がＮｏと判断して待機する。給湯利用箇所に供給される水（湯）の温度が安定するまでの間、第１沸騰限界温度の設定が維持される。つまり、水（湯）の温度が安定するまでの間、比例弁３５の開度調整が維持される。
【０１０４】
上記の実施例では、第１増大処理において、制御部１１０が、バーナ装置４０の燃焼状態を消火状態から点火（小燃焼ｂ１）に切り替える構成であったが、この構成に限定されるものではない。他の実施例では、第１増大処理において、制御部１１０が、バーナ装置４０の燃焼状態を消火状態から中燃焼ｂ２または大燃焼ｂ３に切り替えてもよい。また、制御部１１０は、第２増大処理において、バーナ装置４０の燃焼状態を小燃焼ｂ１から大燃焼ｂ３に切り替えてもよい。また、制御部１１０は、減少処理において、バーナ装置４０の燃焼状態を大燃焼ｂ３から小燃焼ｂ１に切り替えてもよい。
【０１０５】
上記の実施例では、ガス供給管３０が第１分岐管３１と第２分岐管３２の２つに分岐しており、バーナ装置４０が第１ガスバーナ４１と第２ガスバーナ４２の２つを備えている構成であったが、分岐管の数とガスバーナの数は特に限定されるものではない。ガス供給管３０が３つ以上に分岐しており、バーナ装置４０が３つ以上のガスバーナを備えていてもよい。また、上記の実施例では、第１切替電磁弁３６と第２切替電磁弁３７が設けられていたが、切替電磁弁の数は特に限定されるものではない。分岐管とガスバーナの数に応じて切替電磁弁が３つ以上設けられていてもよい。また、それに応じて、バーナ装置４０の燃焼状態の数が増加してもよい。
【０１０６】
切替電磁弁が３つ以上ある場合は、いずれの切替電磁弁を第１、第２と考えてもよい。同様に、分岐管とガスバーナのそれぞれが３つ以上ある場合は、いずれの分岐管とガスバーナを第１、第２と考えてもよい。第１と第２の組み合わせは特に限定されるものではない。複数の構成を１つと考えてもよい。例えば、図９に示すように、切替電磁弁と分岐管とガスバーナのそれぞれが３つ（Ａ，Ｂ，Ｃ）ある場合は、そのうちの２つ（例えばＡ，Ｂ）を第１と考え、１つ（例えばＣ）を第２と考えてもよい。あるいは、１つ（例えばＡ）を第１と考え、２つ（例えばＢ，Ｃ）を第２と考えてもよい。
【０１０７】
また、上記の給湯器２では、第１切替電磁弁３６および／または第２切替電磁弁３７の開閉状態の切り替えが短時間のうちに連続して実行される場合がある。そうすると、沸騰限界温度の切り替え時間（第１沸騰限界温度の継続時間）の設定が短時間のうちに連続して変更される。この場合には、長い方の切り替え時間を優先的に採用してもよい。例えば、第１切替電磁弁３６および／または第２切替電磁弁３７の開閉状態が短時間のうちに連続して切り替わることによって、バーナ装置４０の燃焼状態が、まず消火状態から点火状態（小燃焼ｂ１）に切り替わり、その後短時間（例えば５秒）で、小燃焼ｂ１から中燃焼ｂ２に切り替わるとする。図２に示すように、消火から点火（小燃焼ｂ１）に切り替わる場合の切り替え時間は２０秒であり、小燃焼ｂ１から中燃焼ｂ２に切り替わる場合の切り替え時間は１０秒である。この場合は、バーナ装置４０の燃焼状態が小燃焼ｂ１から中燃焼ｂ２に切り替わったときに、以前に設定した切り替え時間の２０秒（設定から５秒が経過した段階では残り１５秒）が残存している。そのため、バーナ装置４０の燃焼状態が小燃焼ｂ１から中燃焼ｂ２に切り替わったとしても、切り替え時間を１０秒に変更せずに、その前に設定した２０秒（残り１５秒）を優先して採用してもよい。そして、切り替え時間の設定から２０秒が経過したとき（消火から点火（小燃焼ｂ１）に切り替わってから２０秒が経過したとき）に、制御部１１０が、沸騰限界温度の設定を第１沸騰限界温度から第２沸騰限界温度に変更してもよい。
【０１０８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０９】
２      ：給湯器
２０    ：通水管
２１    ：給水管
３０    ：ガス供給管
３１    ：第１分岐管
３２    ：第２分岐管
３５    ：比例弁
３６    ：第１切替電磁弁
３７    ：第２切替電磁弁
４０    ：バーナ装置
４１    ：第１ガスバーナ
４２    ：第２ガスバーナ
５１    ：主熱交換器
５２    ：副熱交換器
５３    ：流量センサ
１１０  ：制御部
１１２  ：メモリ
１１４  ：切替テーブル
５１２  ：出口
５２２  ：出口
【図１】
2018200141.tif 000003
【図２】
2018200141.tif 000004
【図３】
2018200141.tif 000005
【図４】
2018200141.tif 000006
【図５】
2018200141.tif 000007
【図６】
2018200141.tif 000008
【図７】
2018200141.tif 000009
【図８】
2018200141.tif 000010
【図９】
2018200141.tif 000011